(57)【要約】【課題】バンドレス・ブラジャーの設計を提供する。【解決手段】キャップ・エレメント１は、各キャップ・エレメント１が乳房と対応する形状に形成され、シリコン・ゴムから製造される。接着層２は、接着剤からなり、キャップ・エレメント１の内凹表面に設置される。その接着剤の露出表面層は付着性と離脱しやすい性質があって皮膚を傷つけない。キャップ・エレメントは皮膚に付着しやすい性質のため、繰り返し使用、取り外すことが可能である。連結材３は、二つのキャップ・エレメント１の間に設置される。キャップ・エレメント１の形、大きさと厚さは人によって異なり、需要によって異なり、または衣類によって異なる。【選択図】　　　図２
0003098075.tif 000002
【実用新案登録請求の範囲】
【請求項１】
バンドレス・ブラジャーであって、
一対のキャップ・エレメントを備え、各キャップ・エレメントが乳房と対応する形状に形成され、各キャップ・エレメントがシリコン・ゴムから製造され、
一対の接着層は、接着剤からなり、それぞれキャップ・エレメントに対応してキャップ・エレメントの内凹表面に設置され、かつその接着剤の露出表面層は付着性と離脱しやすい性質があって皮膚を傷つけず、そのためにキャップ・エレメントは皮膚に付着しやすく、繰り返し使用、取り外すことが可能であり、
連結材は、二つのキャップ・エレメントの間に設置されていることを特徴とするバンドレス・ブラジャー。
【請求項２】
キャップ・エレメントは違った厚さのものであることを特徴とする請求項１に記載のバンドレス・ブラジャー。
【請求項３】
接着剤はシリコン・ゴムであることを特徴とする請求項１に記載のバンドレス・ブラジャー。
【請求項４】
連結材は二つのキャップ・エレメントと一体に製造されることを特徴とする請求項１に記載のバンドレス・ブラジャー。
【請求項５】
バンドレス・ブラジャーの一種であって、
キャップ・エレメントは、乳房と対応する形状に形成され、シリコン・ゴムから製造され、
接着層は、接着剤からなり、キャップ・エレメントに対応してキャップ・エレメントの内凹表面に設置され、かつ接着剤の露出表面層は付着性と離脱しやすい性質があって皮膚を傷つけず、そのためにキャップ・エレメントは皮膚に付着しやすく、繰り返し使用、取り外すことが可能であることを特徴とするバンドレス・ブラジャー。
【請求項６】
接着剤はシリコン・ゴムであることを特徴とする請求項５に記載のバンドレス・ブラジャー。
【考案の詳細な説明】
【０００１】
【考案の属する技術分野】
本考案はバンドレス・ブラジャーの設計に関するもので、特に繰り返し使用できる、離脱性のあるブラジャーの構造設計を指したものである。
【０００２】
【従来の技術】
周知のブラジャーは主として女性に乳房を美しくするもので、それの基本構造はキャップ、バック・バンド、ショルダー・バンドと連結バンドから構成される。あるものはバック・バンドと連結されるショルダー・バンドが取り外し可能であり、またはキャップ内にスポンジ、ウォーター・バッグ等増強、サポート、保護等作用のある構造が含まれ、このような基本構造は少なくても百年の歴史がある。それは多くの女性の着替え方式を影響し、かつ女性の最も重要な衣類の一つとなっている。周知の構造はショルダー・バンドとバック・バンドが付いているので、ある人に対してそれを着用することは一種の負担であり、常にそれのきつさや緩さのために頭を悩ませ、それをきつくしないとブラジャーを使用してぴんと立つ堅さが現れなく、きつく引き過ぎると呼吸さえ影響される。そこで、実際の需要により符合する製品を提供するため、考案者は従来のものの使用上に起こりやすいきつさの問題を完全解決することについて研究開発を行った。
【０００３】
【考案が解決しようとする課題】
本考案の目的は、バンドレス・ブラジャーの設計を提供することにある。
【０００４】
【課題を解決するための手段】
上記目的を達成するため、本考案の構造は乳房のサイズと対応する一対のキャップ・エレメントがあり、各キャップ・エレメントはシリコン・ゴムから製造され、それには違った厚さがあってもよく、更にキャップ・エレメントの内凹表面に接着層が設けられ、接着層は接着剤からなり、その接着剤の露出表面層は付着性と離脱しやすい性質があって皮膚を傷つきしなく、そのためにキャップ・エレメントは皮膚に付着しやすく、約百回繰り返し使用、取り外すことができ、その接着剤もシリコン・ゴムである。
【０００５】
【考案の実施の形態】
図１から図４に示す如く、本考案の実施例による「バンドレス・ブラジャー」の設計は一対のキャップ・エレメント１があり、各キャップ・エレメント１は女性の乳房のサイズと対応して設置され、かつ各キャップ・エレメント１はシリコン・ゴムから製造され、それには違った厚さがあってもよい。図２に示すのは薄型のもので、図３に示すのは厚型のものである。厚さの変化のほか、外観形状にも変化することができ、図面に示すものに限らず、例えば数個の貫通孔（図面は略する）または最少一つの貫通溝のあるもの（図面は略する）がある。更にキャップ・エレメントの内凹表面に接着層が設けられ（図２の拡大部分に示す）、接着層２は接着剤であり、かつその接着剤の露出表面層は付着性と離脱しやすい性質があって皮膚を傷つきしなく、そのためにキャップ・エレメントは皮膚に付着しやすく、約百回繰り返し使用、取り外すことができ、接着剤もシリコン・ゴムで、それには皮膚に接着する性質がある。すなわち、前記キャップ・エレメントが作られたら付着性のあるシリコン・ゴムを液状にし、更にそれを希釈して各キャップ・エレメントの内凹表面に塗布する。
【０００６】
この他、二つのキャップ・エレメント１の間には連結材３が設けられ、それは皮膚を傷つけない金属またはプラスチックから構成される。もし片方のキャップ・エレメントだけが設けられれば連結材を設置する必要がなく、そのために本実用新案登録請求の範囲はこの二種の構造を分けて定義し、前者が人体４に実施された状況は図４に示す。連結材はキャップ・エレメントと一体して製造されてもよく、それの形式は多くの態様があり、本実施例ではそれを限定しないが、両連結材の間は二つのキャップ・エレメントを連結状態に形成することができる。
【０００７】
上記をまとめると、本実施例の構造はシリコン・ゴムを運用して片側のキャップ・エレメントを形成し、それにはいい柔軟性があって体に付着して使用することができ、かつ皮膚を傷つきしなく、アメリカ３Ｍ社の製品である繰り返し使用できる便箋紙から充分な証明と補助説明が得られるが、それは一枚の紙と縁に設けられた接着剤だけで書類または他のものに貼り付けることができ、したがって本実施例にも同様な貼り付け機能と繰り返し使用する機能があり、水に付かない状況に於いて皮膚に貼り付くことができる。更に低周波物理治療器の導電シートもそれの粘着性を証明することができ、すなわちそれも一種のゴムであり、本実施例に使用されるシリコン・ゴムとは少々違うが、本実施例の接着層は極めて薄く、碗状のキャップを使用者の乳房に被せば簡単に付着して脱落しなく、このように繰り返し使用の目的が達成される。また、それは質が柔らかいので皮膚を傷つきしなく、かつ重要なことはそれには粘着性がなく、皮膚の排汗、代謝、呼吸等機能に影響しないので、極めていい使用性と使い心地を提供することができる。更に本実施例では周知のショルダー・バンドやバック・バンドのような締め付け部材がないので、全体的にはかなり高い経済性と変化性があり、各種衣類の使用に合わすことができ、必要があれば、適当な厚さまたは形を自由に選択することができ、胸の小さい人でも整形をしないで、より優れて抜群に着衣することができ、かつ衣類の設計に対してもより変化性があるようになる。本実施例は使用者にこれまでのない便利性を与え、それは周知のものと完全に違う構造であり、かつかなり広い応用性と変化性があるので実用新案登録請求の要件に符合する。
【０００８】
以上に述べたのは本考案の最適実施例の詳細と図面であり、それは本考案を制限するものではなく、本考案のすべての範囲は実用新案登録請求の範囲に準じ、およそ実用新案登録請求の範囲の精神とそれに類似した変化の実施例と構造はすべて本考案に含まれるものとさせていただきます。
【０００９】
【考案の効果】
本考案の主な目的はバンドレス・ブラジャーの設計を提供するもので、それは材料の特性を運用して付着性のある一対のキャップ・エレメントを形成し、皮膚を傷つけない前提に於いて、長期的使用できる方式によってに両側のキャップ・エレメントを形成し、使用者が本考案のブラジャーを使用する場合、それを直接乳房に貼り付けるが、キャップ・エレメント内の接着層に含まれる接着剤は離脱しやすい性質があるので、全体は繰り返し使用することができる。なお、キャップ・エレメントの形、大きさと厚さは人によって異なり、需要によって異なり、または衣類によって異なり、それは乳房を持ち上げ、保護する最大の効果を発揮することができる。
【図面の簡単な説明】
【図１】本考案の実施例によるバンドレス・ブラジャーを示す正面図である。
【図２】本考案の実施例による薄型のキャップエレメントのバンドレス・ブラジャーを示す横断面図である。
【図３】本考案の実施例による厚型のキャップエレメントのバンドレス・ブラジャーを示す横断面図である。
【図４】本考案の実施例によるバンドレス・ブラジャーを示す立体図である。
【符号の説明】
１　　キャップ・エレメント
２　　接着層
３　　連結材
４　　人体
【図１】
0003098075.tif 000003
【図２】
0003098075.tif 000004
【図３】
0003098075.tif 000005
【図４】
0003098075.tif 000006